(57)【要約】【課題】  受け金物を立金物等の支持部に対し垂直軸線周りに回動ができるようにして、地震発生時にはケーブル余長を受け金物から外し、該余長部分が自由となってケーブルの引っ張り方向へ素早く対応し、ケーブル破壊を回避できるようにする。【解決手段】  上面板部１と、上面板部１の両側に連設されて先方へ向かって幅狭くなるように上り勾配に形成された左右の袖板部２，３と、構築物等の壁面に固定した立金物Ｓへの取り付け側に位置して左右の袖板部２，３間に固定されている後面板部４とを備えたケーブルの受け金物において、ほぼコの字断面形に形成した後面板部４は、立金物Ｓに固定されるほぼコの字断面形に形成された固定金具５との間にクッションゴム６を介在させて、垂直軸線周りに回動ができるように該固定金具５と互いに軸着（ボルト７とナット８により結合）されている構成である。【選択図】  図２
2007124878.tif 000002
【特許請求の範囲】
【請求項１】
上面板部と、この上面板部の両側に連設されている左右の袖板部と、構築物等の壁面に固定した立金物側に位置して上面板部と左右の袖板部に固定されている後面板部とを備えたケーブルの受け金物において、上記後面板部は、上記立金物に固定される固定金具との間にクッションゴムを介在させて、垂直軸線周りに回動ができるように該固定金具と互いに軸着されていることを特徴とするケーブルの地震対応型受け金物。
【請求項２】
受け金物体の後面板部と固定金具は、相対応したほぼコの字断面形に形成し固定金具を内側に位置させて開放面側を対向させた状態で嵌合し、その嵌合部分にクッションゴムを圧入して相対的回動ができるようにボルトとナットにより軸着されていることを特徴とする請求項１記載のケーブルの地震対応型受け金物。
【請求項３】
固定金具の背面部には該固定金具を立金物にナット止めして固定するねじ軸が突設されていることを特徴とする請求項１又は２記載のケーブルの地震対応型受け金物。
【請求項４】
固定金具の上下両水平板部の先方部分は円弧縁に形成さていることを特徴とする請求項２又は３記載のケーブルの地震対応型受け金物。
【発明の詳細な説明】
【技術分野】
【０００１】  本発明は、構築物（マンホール）等の壁面に固定した立金物に取り付けて、布設されるケーブルを支持するために用いるケーブルの地震対応型受け金物に関する。
【背景技術】
【０００２】  マンホール等の壁面に取り付けて地下ケーブル等を支持するために用いる受け金物は、上面板部と、先方へ向かって幅狭くなるように上り勾配に形成されている左右の袖板部と、後面板部とを備え、ケーブルの受け部となる上面板部には長さ方向に沿って凹面部が絞り加工により設けられている一方、後面板部にはマンホール等の壁面に固定された立金物に設けられている取り付け穴（ダルマ穴と呼ばれている）に着脱可能に挿着する固定用ボルトの挿通孔が設けられている構造のものが、例示するまでもなく従来より当事者間において広く知られている。【０００３】  この周知の受け金物は、後面板部の挿着孔に挿着した固定用ボルトを竪金物の取り付け穴に掛け止めた後に固定用ボルトを上記後面部側でナット締めし、立金物に固定状態に取り付けて使用するものである。そして、管路よりマンホール内に引き込まれたケーブルの支持作業には、隣合った受け金物間にケーブル余長（通常は受け金物間にほぼ８の字状に横架されているケーブル部分）を存在させるようにして、その両受け金物の上面板部でケーブルを支持し、綿紐等の縛り紐によりケーブルを固定する方法が一般的に採用されている。
【発明の開示】
【発明が解決しようとする課題】
【０００４】  ケーブルが余長部分で上記公知の受け金物上に固定状態に支持されていると、地震発生時に管路の移動等でケーブルが管路内に引き込まれた場合、余長部分が移動できないため張力超過によってケーブルが切断される不具合が往々にして起こるという問題があった。【０００５】  本発明は上記の問題を解決したものであって、その目的は、受け金物を立金物等の支持部に対し垂直軸線周りに回動ができるようにして、受け金物にケーブル余長部分を縛り付けてあっても、地震発生時にはケーブルの引っ張られる方向（左右方向）へ受け金物が回動して、引っ張り強度以下の張力でケーブルは受け金物から外れ、余長部分が自由となってケーブルの引っ張り方向へ素早く対応し、ケーブル破壊から回避できるように改良したケーブルの地震対応型受け金物を提供することにある。
【課題を解決するための手段】
【０００６】  上記目的を達成するために、本発明の特徴とするケーブルの地震対応型受け金物は、上面板部と、この上面板部の両側に連設されている左右の袖板部と、構築物等の壁面に固定した立金物側に位置して上面板部と左右の袖板部に固定されている後面板部とを備えたケーブルの受け金物において、上記後面板部は、上記立金物に固定される固定金具との間にクッションゴムを介在させて、垂直軸線周りに回動ができるように該固定金具と互いに軸着されている構成である。【０００７】  この発明の構成において、受け金物体の後面板部と固定金具は、相対応したほぼコの字断面形に形成し固定金具を内側に位置させて開放面側を対向させた状態で嵌合し、その嵌合部分にクッションゴムを介在させて（圧入して）、ボルトとナットにより相対的回動ができるように軸着されている。固定金具の背面部にはねじ軸（例えば、寸切りボルト）を溶接により突設して、固定金具を竪金物にナット止めできるようにする。また、固定金具の水平板部の先方部分は円弧縁に形成し、後面板部側の背面部と接触する不具合が起こらないようにして、受け金物の回動に支障がないように考慮されている。
【発明の効果】
【０００８】  本発明に係るケーブルの地震対応型受け金物は、地震発生時に受け金物が左右方向へ回動できて、その回動方向へケーブルが引っ張られることでケーブルの縛り付け部分が受け金物から外れ、余長部分の輪が解かれてケーブルは引っ張り方向へ素早く対応して、ケーブル切断を防止できる。
【発明を実施するための最良の形態】
【０００９】  以下に、本発明の実施の形態を図面を参照して説明する。図１乃至図４において、１は上面板部（例えば、長さが２６０±２ｍｍ程度、幅が５１ｍｍ程度の鉄板）、２，３は上面板部１に長さ方向へＵ字溝状に折り曲げ部を設けることにより連設されている左右の袖板部であり、この左右両袖板部２，３は、図示の場合には、先方へ向かって幅狭くなるように上り勾配に形成されているが、これに限定されない。４は上面板部１と左右両袖板部２，３に溶接により固定された後面板部であり、上面板部１の両側辺は下向きに若干折り曲がった補強部１ａに形成されている。なお、上面板部１は先方へ向かって２°程度の上り勾配になっている。【００１０】  構築物等の壁面に固定した立金物（受け金物の支持部）Ｓ側に臨む後面板部（例えば、肉厚が４．５ｍｍ程度の鉄板）４はほぼコの字断面形に形成されている一方、上記立金物Ｓに固定される固定金具（例えば、肉厚が４．５ｍｍ程度の鉄板）５は、後面板部４と対応したほぼコの字断面形であって、長さが後面板部４より１．５倍程度長く、コの字断面形部分の幅が後面板部４より３割程度小さく形成されている。この固定金具５と後面板部４は固定金具５を内側に位置させて開放面側を対向させた状態で嵌合し、その嵌合部分にクッションゴム６を圧入した後で、後面板部４と固定金具５が相対的回動できるように後面板部４と固定金具５の各水平板部４ａ，４ｂ、５ａ，５ｂとクッションゴム６にボルト７を挿通してナット８止めする。【００１１】  即ち、後面板部４は垂直軸線（ボルト７を枢軸として）周りに左右両方向へ回動ができるようにクッションゴム６を介在して固定金具５に軸着する一方、この固定金具５を水平板部５ａ，５ｂより横方向へ張り出している（左右へそれぞれ１０ｍｍ程度）背面部５ｃに固定（例えば溶接）されている寸切りボルト等のねじ軸９を立金物Ｓにナット１１止めすることによって、本地震対応型受け金物は左右両方向へそれぞれ９０°の回動ができるように支持できる（図４を参照）。【００１２】  なお、クッションゴム６は硬度６５±５°程度のものを用いることができ、このクッションゴム６は後面板部４と固定金具５の両背面部５ｃ，６ｃ間に圧入されて、常時は本受け金物を立金物Ｓに対し正面向きの正規の姿勢に保持している。また、固定金具５の上下板部５ａ，５ｂの先方部分は円弧縁５ｄに形成し、後面板部４側の背面部４ｃとの接触をなくして（クッションゴム６の存在により、背面部４ｃと円弧縁５ｄ間に１．０ｍｍ程度の隙間が設けられている）、本受け金物の回動に支障がないように考慮されている。図中、１２、１３、１４は後面板部４と固定金具５の各水平板部４ａ，４ｂ、５ａ，５ｂとクッションゴム６に穿設されているボルト挿通孔である。
【図面の簡単な説明】
【００１３】
【図１】  本発明の実施の一形態を示す平面図である。
【図２】  図１に示すものの側面図である。
【図３】  図１に示すものを分解した斜視図である。
【図４】  図１に示すものの回動状態を一部省略して示す平面図である。
【符号の説明】
【００１３】  １は上面板部
１ａは折り曲げ部
２，３は袖板部
４は後面板部
４ａ，４ｂは水平板部
４ｃは背面部
５は固定金具
５ａ、５ｂは水平板部
５ｃは背面部
５ｄは円弧縁
６はクッションゴム
７はボルト
８はナット
９はねじ軸
１１はナット
Ｓは立金物
【図１】
2007124878.tif 000003
【図２】
2007124878.tif 000004
【図３】
2007124878.tif 000005
【図４】
2007124878.tif 000006